(57)【要約】【課題】ユーザーがプリントサイズごとにトリミング操作を繰返すことなく、簡単な操作で確実に、複数のプリントサイズで良好なトリミングをすることができる画像処理装置を提供する。【解決手段】画像処理装置がトリミング枠表示部１１とトリミング部１２とを有している。トリミング枠表示部１１は、画像に重ねて複数のトリミング枠を表示する。この複数のトリミング枠は、たとえば、それぞれ、印刷される場合の異なるアスペクト比を有している。トリミング部１２は、表示した複数のトリミング枠のうち１つのトリミング枠に囲まれる画像領域をトリミングする。【選択図】図１
2010232869.tif 000002
【特許請求の範囲】
【請求項１】
画像に重ねて複数のトリミング枠を表示するトリミング枠表示部と、
前記表示した複数のトリミング枠のうち１つのトリミング枠に囲まれる画像領域をトリミングするトリミング部と、
を有することを特徴とする画像処理装置。
【請求項２】
請求項１に記載の画像処理装置において、
前記複数のトリミング枠のうちのいずれかのトリミング枠は、前記トリミング部がトリミングしない参照用のトリミング枠である、
ことを特徴とする画像処理装置。
【請求項３】
請求項１または請求項２に記載の画像処理装置において、
前記複数のトリミング枠のそれぞれに囲まれる領域に基づいた合成トリミング枠を生成する合成トリミング枠生成部、
を有し、
前記トリミング枠表示部が、
前記合成トリミング枠生成部が生成した合成トリミング枠を、前記画像に重ねて表示し、
前記トリミング部が、
前記表示した合成トリミング枠に囲まれる画像領域をトリミングする、
ことを特徴とする画像処理装置。
【請求項４】
請求項３に記載の画像処理装置において、
前記合成トリミング枠生成部が、
前記複数のトリミング枠のそれぞれに囲まれる領域に基づいて、共通となる領域が最大となるようにして、前記合成トリミング枠を生成する、
ことを特徴とする画像処理装置。
【請求項５】
請求項１から請求項４のいずれかに記載の画像処理装置において、
前記トリミング部が、
前記表示した複数のトリミング枠のそれぞれに囲まれる画像領域をトリミングする、
ことを特徴とする画像処理装置。
【請求項６】
請求項５に記載の画像処理装置において、
前記複数のトリミング枠のうち選択されたトリミング枠を、移動、回転、拡大または縮小する個別トリミング枠変更部、
を有することを特徴とする画像処理装置。
【請求項７】
請求項１から請求項６のいずれかに記載の画像処理装置において、
前記複数のトリミング枠のうち全てのトリミング枠を、移動、回転、拡大または縮小する全体トリミング枠変更部、
を有することを特徴とする画像処理装置。
【請求項８】
請求項１から請求項７のいずれかに記載の画像処理装置において、
前記トリミング部がトリミングした画像領域と、前記トリミング部が当該画像領域をトリミングしたトリミング枠を示すトリミング枠情報とを関連付けて、記憶部に記憶させる画像保存部、
を有することを特徴とする画像処理装置。
【請求項９】
請求項１から請求項８のいずれかに記載の画像処理装置において、
前記トリミング部がトリミングする前に、それぞれのトリミング枠でトリミングされる場合の画像をプレビュー表示するプレビュー部、
を有することを特徴とする画像処理装置。
【請求項１０】
画像処理装置としてのコンピュータに、
画像に重ねて複数のトリミング枠を表示するトリミング枠表示手順と、
前記表示した複数のトリミング枠のうち１つのトリミング枠に囲まれる画像領域をトリミングするトリミング手順と、
を実行させるための画像処理プログラム。
【発明の詳細な説明】
【技術分野】
【０００１】
本発明は、画像処理装置および画像処理プログラムに関する。
【背景技術】
【０００２】
電子カメラが普及して様々な鑑賞形態が出現してきているが、従来からのプリントという鑑賞形態も決してなくなることはなく、一般ユーザーが自宅においてプリンターを使って、あるいは市中のプリントサービスを利用することで、ますます手軽にプリントを作成することができる環境になってきている。
【０００３】
撮影した画像をプリントする際に、被写体をプリント画面内に適切に収めて完成度の高い写真とするために、カメラで記録された電子画像のうち不要な周囲部分を削除するトリミングはますます重要になっている。市販されている一部のカメラは、背面の液晶モニター上で撮影画像に対してトリミング操作を行ない、別ファイルとしてメモリーカードに記録する機能を備えている。このような従来技術として、特許文献１が知られている。
【先行技術文献】
【特許文献】
【０００４】
【特許文献１】特開２００５−３２４５１２号公報
【発明の概要】
【発明が解決しようとする課題】
【０００５】
一方、１つの画像から複数のプリントサイズでプリントを作成することも多くなっている。例えば以下のような場合がある。
（１）家族や子供の写真を、家族用には少し大きめのハガキサイズでアルバム化しているが、子供の友達にあげるプリントは一般的なサイズであるＬサイズとしたい。
（２）気に入った画像は、アルバムに入れるハガキサイズの他に六切に大伸ばしして額で飾りたい。
【０００６】
このように複数のプリントサイズでプリントを作成する場合において、市中で一般的なプリントサイズの縦横比は図１６に示すようになっており、プリントサイズごとに縦横比が異なっている。
【０００７】
そのため、１つの画像から複数の異なるプリントサイズでプリントする場合、図１６に示すようにプリントサイズごとに縦横比が無視できないレベルで異なっていることがしばしば問題となる。
【０００８】
例えば、図１７に示すように、ハガキサイズのプリントを想定して縦横比１．４９でトリミングした画像から六切のプリントを作成した場合、通常ではプリント用紙の寸法いっぱいに画像を形成するため、トリミング画像の左右をカットして六切の縦横比に合わせてプリントされてしまい、被写体が左右ギリギリにある場合などは不都合が生じてしまうという問題がある。
【０００９】
逆に図１８に示すように、六切のプリントを想定して縦横比１．２５でトリミングした画像からハガキサイズのプリントを作成した場合、トリミング画像の上下をカットしてハガキサイズのプリントが作成されてしまい、被写体が上下ギリギリにある場合には不都合が生ずるという問題がある。
【００１０】
また、トリミングを行なう時点で２つのプリントサイズでプリントすることが予定されていても、従来のトリミング装置では１種類の縦横比のトリミング枠しか表示されないため、もう一方の縦横比でプリントしたときの状態を画面上で予測することができないという問題がある。
【００１１】
現状のカメラでこのような問題を回避するには、理想的にはまず１つ目のプリントの縦横比でトリミングして第一のトリミング画像を作成・記録した後、再び元画像から２つ目のプリントの縦横比でトリミングを行ない第二のトリミング画像を作成・記録し、それぞれから対応するプリントサイズでプリントを作成することになる。ユーザーにとってトリミング操作は、画像を写真として完成させる創造的なプロセスであるが、これを同じ画像に対して２回繰返すとなると、時間的にも心理的にも大きな負担となるという問題がある。
【００１２】
本発明は、このような事情に鑑みてなされたもので、その目的は、ユーザーがプリントサイズごとにトリミング操作を繰返すことなく、簡単な操作で確実に、複数のプリントサイズで良好なトリミングをすることができる画像処理装置および画像処理プログラムを提供することにある。
【課題を解決するための手段】
【００１３】
この発明は上述した課題を解決するためになされたもので、画像に重ねて複数のトリミング枠を表示するトリミング枠表示部と、前記表示した複数のトリミング枠のうちの１つのトリミング枠に囲まれる画像領域をトリミングするトリミング部と、を有することを特徴とする画像処理装置である。
【発明の効果】
【００１４】
この発明によれば、画像処理装置が、画像に重ねて複数のトリミング枠を表示し、この表示した複数のトリミング枠のうちの１つのトリミング枠に囲まれる画像領域をトリミングすることにより、ユーザーは複数のトリミング枠でトリミングされる画像領域を確認してトリミングすることができる。そのため、ユーザーがプリントサイズごとにトリミング操作を繰返すことなく、簡単な操作で確実に、複数のプリントサイズで良好なトリミングをすることができるという効果を奏する。
【図面の簡単な説明】
【００１５】
【図１】この発明の一実施形態による画像処理装置を有する撮像装置の構成を示すブロック図である。
【図２】図１の画像処理装置を有する撮像装置の動作を示すフローチャートである。
【図３】総合メニューで「画像編集」を選択する操作の画面図である。
【図４】画像編集メニューで「トリミング」を選択する操作の画面図である。
【図５】トリミング操作で、対象画像を指定する操作の画面図である。
【図６】トリミング方法として、単一トリミングか複合トリミングを選択する操作の画面図である。
【図７】複合トリミングとして、モード１〜３の何れかを選択する操作の画面図である。
【図８】第１/２トリミング枠それぞれに対して、プリントサイズを指定する操作の画面図である。
【図９】モード１で２つのトリミング枠が示された状態の画面図である。
【図１０】図９に示す画面図において、トリミング枠を縮小・移動した画面図である。
【図１１】モード２で第１/２トリミング枠から第３トリミングを演算して設定する画面図である。
【図１２】図１１に示す画面図において、３つのトリミング枠が表示された状態の画面図である。
【図１３】モード３で２つのトリミング枠が表示された状態の画面図である。
【図１４】図１３に示す画面図において、２つのトリミング枠を独立に変更した状態の画面図である。
【図１５】トリミングしたプリントサイズに応じて記録するトリミング画像の名前を変更し、プリントサイズに対応したフォルダーを生成してそこに記録することを示す画面図である。
【図１６】一例としての印刷サイズを示す表である。
【図１７】ハガキサイズ縦横比でトリミングした画像を六切プリントした場合におこる問題を示す説明図である。
【図１８】六切縦横比でトリミングした画像をハガキサイズプリントした場合におこる問題を示す説明図である。
【発明を実施するための形態】
【００１６】
以下、図面を参照して、本発明の実施形態について説明する。図１は、この発明の一実施形態による画像処理装置を有する撮像装置の構成を示す概略ブロック図である。ここでは、画像処理装置が、マイクロコンピュータ１として構成されている場合について説明する。
【００１７】
撮像装置は、撮像装置が有している各構成を制御するマイクロコンピュータ１と、撮影レンズ３１を用いた撮影における光学系を制御する光学系制御部２と、撮影レンズ３１を介して受光した光信号を電気信号に変換する撮像部３と、ユーザーが操作する操作部４とを有している。また撮像装置は、外部インターフェース５１、画像表示制御部６１、重畳表示制御部６２、モニター６３、ドライバ回路ＤＲ５、撮影情報モニター６４、カードコネクター７１、メモリーカード７２、画像記憶メモリー７３、圧縮／伸長回路７４、メモリー７５、タイマー７６、ドライバ回路ＤＲ６、圧電ブザー７７、電池８１および電池チェック回路８２を有している。
【００１８】
光学系制御部２は、測光装置２１、ドライバ回路ＤＲ２、ドライバ回路ＤＲ３、ドライバ回路ＤＲ４、シャッター部２２、絞り機構部２３およびミラー機構部２４を有している。測光装置２１は被写体の輝度を検出し、検出信号をマイクロコンピュータ１へ送出する。ドライバ回路ＤＲ２は、マイクロコンピュータ１からの指令に応じてシャッター部２２を駆動制御する。シャッター部２２は、シャッター羽根を開閉して光の遮光を行う。ドライバ回路ＤＲ３は、マイクロコンピュータ１からの指令に応じて絞り機構部２３を駆動制御する。絞り機構部２３は、撮影レンズ３１が有する絞りを開閉する。ドライバ回路ＤＲ４は、マイクロコンピュータ１からの指令に応じてミラー機構部２４を駆動制御する。ミラー機構部２４は、不図示のミラーのアップ・ダウンを行う。
【００１９】
撮像部３は、撮影レンズ３１、ＣＣＤ（Charge Coupled Device）等の撮像素子３２、撮像回路３３、ドライバ回路ＤＲ１およびモータＭ１を有している。撮影レンズ３１は、被写体像を撮像素子３２の撮像面上に結像する。撮像回路３３は、Ａ／Ｄ変換回路を含み、撮像素子３２から出力されるアナログ撮像信号をデジタルデータに変換し、変換後の画像データに対して所定の画像処理を行う。この画像処理として、たとえば、γ変換処理やホワイトバランス調整処理などがある。ドライバ回路ＤＲ１は、マイクロコンピュータ１からの指令に応じてモータＭ１を駆動する。モータＭ１は、たとえば、撮影レンズ３１の焦点レンズを光軸方向に進退駆動する。なお、撮影レンズ３１は、撮像装置に固定されて取り付けられていてもよいし、撮像装置に着脱可能となるようにして取り付けられていてもよい。
【００２０】
操作部４は、メインスイッチＳＷ１、レリーズスイッチＳＷ２、取消スイッチＳＷ３、モードスイッチＳＷ４、再生・メニュースイッチＳＷ５、左選択スイッチＳＷ６、右選択スイッチＳＷ７、上選択スイッチＳＷ８、下選択スイッチＳＷ９、確定スイッチＳＷ１０、操作用スイッチＳＷ１１、操作用スイッチＳＷ１２、コマンドダイヤル左回転スイッチＳＷ１３、コマンドダイヤル右回転スイッチＳＷ１４、画像削除スイッチＳＷ１５およびプレビュースイッチＳＷ１６を有している。
【００２１】
メインスイッチＳＷ１は、撮像装置の電源オンまたは電源オフを指示する操作信号を出力する。レリーズスイッチＳＷ２は、レリーズスイッチＳＷ２が半押しされた場合には撮影の開始を示す半押し操作信号を出力し、レリーズスイッチＳＷ２が全押しされた場合には撮影することを示す全押し操作信号を出力する。取消スイッチＳＷ３は、操作取消を示す操作信号を出力する。
【００２２】
モードスイッチＳＷ４は、撮像装置の撮影モードと再生モードとを切替えるための操作信号を出力する。また、モードスイッチＳＷ４は、再生モードにおいて押されたことに応じて、総合メニューモードに切替える操作信号を出力する。再生・メニュースイッチＳＷ５は、再生またはメニューを選択する操作信号を出力する。
【００２３】
左選択スイッチＳＷ６、右選択スイッチＳＷ７、上選択スイッチＳＷ８および下選択スイッチＳＷ９は、それぞれ選択方向を示す操作信号を出力する。以降においては、左選択スイッチＳＷ６および右選択スイッチＳＷ７の組み合わせを左右選択スイッチＳＷ６・７と称し、上選択スイッチＳＷ８および下選択スイッチＳＷ９の組み合わせを上下選択スイッチＳＷ８・９と称して説明する。
【００２４】
確定スイッチＳＷ１０は、操作確定を示す操作信号を出力する。操作用スイッチＳＷ１１は、コマンドダイヤル左回転スイッチＳＷ１３またはコマンドダイヤル右回転スイッチＳＷ１４と組み合わせて用いられ、トリミング枠を拡大または縮小することを示す操作信号を出力する。操作用スイッチＳＷ１２は、コマンドダイヤル左回転スイッチＳＷ１３またはコマンドダイヤル右回転スイッチＳＷ１４と組み合わせて用いられ、複数のトリミング枠の中からトリミング枠を順にまたは逆の順に切替る操作信号を出力する。
【００２５】
コマンドダイヤル左回転スイッチＳＷ１３またはコマンドダイヤル右回転スイッチＳＷ１４は、順方向にまたは逆方向に順に切り替える操作信号を出力する。この左回転スイッチＳＷ１３またはコマンドダイヤル右回転スイッチＳＷ１４は、たとえば１つの回転スイッチとして構成されている。この回転スイッチが左回転した場合には左回転スイッチＳＷ１３が押された状態となり、回転スイッチが右回転した場合にはコマンドダイヤル右回転スイッチＳＷ１４が押された状態となる。
【００２６】
画像削除スイッチＳＷ１５は、画像を削除することを示す操作信号を出力する。プレビュースイッチＳＷ１６は、画像をプレビューすることを示す操作信号を出力する。
【００２７】
外部インターフェース５１は、撮像装置内のデータをパソコンや別の電子カメラなどの外部機器へ出力（送信）するインターフェース回路である。外部インターフェース５１の一例として、ＲＳ２３２（Recommended Standard 232）、ＵＳＢ（Universal Serial Bus）、ＩＥＥＥ１３９４（Institute of Electrical and Electronic Engineers 1394）などの通信規格がある。
【００２８】
画像表示制御部６１は、マイクロコンピュータ１からの指令によりモニター６３に画像やメニュー画面を表示させる駆動信号を生成して、モニター６３に出力する。重畳表示制御部６２は、マイクロコンピュータ１からの指令により、撮影条件などの文字情報やトリミング枠を、画像表示制御部６１がモニター６３に表示させている画像に重畳して表示させる駆動信号を生成して、モニター６３に出力する。モニター６３は、例えばカラーの液晶ディスプレイであり、画像表示制御部６１および重畳表示制御部６２からの駆動信号に基づいて、画像や操作メニューなどを表示するとともに、撮影条件などの文字情報やトリミング枠を重畳表示する。なおモニター６３として、液晶ディスプレイの代わりにＥＬディスプレイなどを用いてもよい。
【００２９】
ドライバ回路ＤＲ５は、マイクロコンピュータ１からの指令により撮影情報モニター６４に対する駆動信号を生成する。撮影情報モニター６４は、例えば白黒の液晶ディスプレイであり、設定されている露出モードを示す符号もしくはマーク、撮影コマ数などの撮影条件を示す文字情報を表示する。
【００３０】
メモリーカード７２は、カードコネクター７１を介して撮像装置に着脱される記録媒体である。メモリーカード７２には画像データおよびトリミングされた画像データが記録される。画像記憶メモリー７３は、上述した画像処理、後述する圧縮処理および伸長処理の際に一時的に画像データを格納する。圧縮／伸長回路７４は、たとえば、ＪＰＥＧ（Joint Photographic Experts Group）など所定の画像形式で画像データを圧縮処理したり、圧縮された画像データを伸長処理したりする。
【００３１】
メモリー７５は、たとえば、ＲＡＭ（Random Access Memory）領域およびＲＯＭ（Read Only Memory）領域の記憶領域を有している。ＲＡＭ領域は、たとえば、マイクロコンピュータ１の作業領域として利用される。また、ＲＯＭ領域は、撮像装置全体を制御するプログラムが予め記憶されている。マイクロコンピュータ１は、このＲＯＭ領域から読み出したプログラムに基づいて撮像装置全体を制御する。
【００３２】
また、メモリー７５は、トリミング枠情報記憶部７５１を有している。このトリミング枠情報記憶部７５１には、プリントサイズを示す情報と関連付けて、当該プリントサイズの場合のトリミング枠の縦横比を示す情報、または、当該プリントサイズの場合のトリミング枠の初期値としての縦と横とのサイズを示す情報が予め記憶されている。このトリミング枠情報記憶部７５１は、たとえばＲＯＭ領域に含められている。
【００３３】
タイマー７６は、マイクロコンピュータ１によって指定された時間を計時し、タイムアップ信号を出力したり、現在の日時を示す信号を出力したりする。ドライバ回路ＤＲ６は、マイクロコンピュータ１からの指令により圧電ブザー７７に対する駆動信号を生成する。圧電ブザー７７は、入力された駆動信号に応じて、内蔵している圧電素子を振動させてブザー音を出力する。電池８１は、撮像装置内の各部に電力を供給する。電池チェック回路８２は、電池８１が撮像装置に供給する電力を監視し、監視した結果をマイクロコンピュータ１に出力する。
【００３４】
次に、本実施形態による画像処理装置としてのマイクロコンピュータ１について説明する。ここでは、マイクロコンピュータ１の構成において、画像処理装置に関する構成のみについて説明する。このマイクロコンピュータ１は、トリミング枠表示部１１、トリミング部１２、合成トリミング枠生成部１３、個別トリミング枠変更部１４、全体トリミング枠変更部１５、画像保存部１６およびプレビュー部１７を有している。
【００３５】
トリミング枠表示部１１は、画像に重ねて複数のトリミング枠を表示する。たとえば、トリミング枠表示部１１は、画像に重ねて複数のトリミング枠を、ともに、または、同時に、表示する。このトリミング枠表示部１１は、たとえば、メモリー７５のトリミング枠情報記憶部７５１に予め記憶されている複数のトリミング枠の縦横比を示す情報を読み出し、当該読み出したトリミング枠の縦横比を示す情報に基づいた複数のトリミング枠を、重畳表示制御部６２を介してモニター６３に表示されている画像に重ねて表示する。この複数のトリミング枠は、それぞれ、印刷される場合の異なるアスペクト比（縦横比）を有している（図１６参照）。トリミング部１２は、表示した複数のトリミング枠のうち１つのトリミング枠に囲まれる画像領域をトリミングする。または、トリミング部１２は、表示した複数のトリミング枠の全てに囲まれる画像領域をトリミングする。
【００３６】
なお、後述するモード１においては、複数のトリミング枠のうちのいずれかのトリミング枠は、トリミング部１２がトリミングしない参照用のトリミング枠である。この参照用のトリミング枠に囲まれる画像領域は、複数のトリミング枠のうちの他のトリミング枠に囲まれる画像領域に内包されている。そのため、参照用のトリミング枠でトリミングされる画像領域は、複数のトリミング枠のうちの他のトリミング枠でトリミングされる画像領域に含まれることになる。
【００３７】
合成トリミング枠生成部１３は、複数のトリミング枠のそれぞれに囲まれる領域に基づいた合成トリミング枠を生成する。合成トリミング枠生成部１３は、たとえば、複数のトリミング枠のそれぞれに囲まれる領域の中心を一致させて、合成トリミング枠を生成する。また、合成トリミング枠生成部１３は、複数のトリミング枠のそれぞれに囲まれる領域に基づいて、共通となる領域が最大となるようにして、合成トリミング枠を生成する。
【００３８】
後述するモード２においては、合成トリミング枠生成部１３の生成した合成トリミング枠をトリミング枠表示部１１が画像に重ねて表示し、表示した合成トリミング枠に囲まれる画像領域をトリミング部１２がトリミングする。なお、トリミング枠表示部１１は、合成トリミング枠生成部１３が生成した合成トリミング枠を、画像に重ねて表示するとともに、複数のトリミング枠を画像に重ねて表示する。
【００３９】
また、後述するモード３においては、トリミング部１２は、表示した複数のトリミング枠のそれぞれに囲まれる画像領域をトリミングする。個別トリミング枠変更部１４は、モード３において、複数のトリミング枠のうち選択されたトリミング枠を、移動、回転、拡大または縮小する。全体トリミング枠変更部１５は、モード１からモード３において、複数のトリミング枠のうち全てのトリミング枠を、移動、回転、拡大または縮小する。
【００４０】
画像保存部１６は、トリミング部１２がトリミングした画像領域と、トリミング部１２が当該画像領域をトリミングしたトリミング枠を示すトリミング枠情報とを関連付けて、記憶部に記憶させる。この記憶部は、たとえば、メモリーカード７２である。すなわち、画像保存部１６は、トリミング部１２がトリミングした画像領域と、トリミング部１２が当該画像領域をトリミングしたトリミング枠を示すトリミング枠情報とを関連付けて、カードコネクター７１を介してメモリーカード７２に記憶させる。
【００４１】
またこの画像保存部１６は、たとえば記録ファイル名に縦横比を示す為にプリントサイズの略称などを附加して記憶部に記憶させる。また、画像保存部１６は、プリントサイズに対応するフォルダーを記憶部に作成し、作成したフォルダーにプリントサイズに対応してトリミングした画像ファイルを記録する。
【００４２】
プレビュー部１７は、トリミング部１２がトリミングする前に、それぞれのトリミング枠でトリミングされる場合の画像をプレビュー表示する。たとえば、プレビュー部１７は、プレビュースイッチＳＷ１６からの操作信号が入力されたことに応じて、トリミング枠でトリミングされる場合の画像を、画像表示制御部６１を介してモニター６３の画面全体に拡大して表示する。
【００４３】
また、プレビュー部１７は、トリミングされる場合の画像をモニター６３の画面全体に拡大して表示している状態において、コマンドダイヤル左回転スイッチＳＷ１３またはコマンドダイヤル右回転スイッチＳＷ１４からの操作信号が入力されることに応じて、複数のトリミング枠の中からトリミング枠を順に切り換える。そして、プレビュー部１７は、当該切り換えたトリミング枠でトリミングされる場合の画像を、画像表示制御部６１を介してモニター６３の画面全体に拡大して表示する。
【００４４】
上記に図１を用いて説明したマイクロコンピュータ１は、上記構成により次のような機能を有する。なお以降においては、複数のトリミング枠として第一トリミング枠と第二トリミング枠との２つのトリミング枠の場合について説明する。また以降においては、合成トリミング枠を第三トリミング枠と称して説明する。
【００４５】
（１）トリミング作業を行なうときに、第一のプリント縦横比に対応した第一トリミング枠と、第二のプリント縦横比に対応した第二トリミング枠とを表示する。更に、実際に画像をトリミングし画像を生成する方法として、次のモード１からモード３の中からいずれかのモードを選択するようにする。
【００４６】
モード１：第一トリミング枠と第二トリミング枠の何れか一方を実トリミング枠とし、他方のトリミング枠はプリント時の状況を確認するためだけの参照枠として、実トリミング枠により一つのトリミング画像を生成・記録する。
【００４７】
モード２：第一トリミング枠と第二トリミング枠の両方を包含する第三トリミング枠を自動的に設定・表示し、この第三トリミング枠を実トリミング枠とし、第一および第二トリミング枠はそれぞれのプリントでの状況を確認するだけの参照枠として扱い、実トリミング枠により一つのトリミング画像を生成・記録する。
【００４８】
モード３：第一トリミング枠と第二トリミング枠の両方を実トリミング枠とし、それぞれから一つずつ、合計２つのトリミング画像を生成・記録する。
【００４９】
（２）記録ファイル名に縦横比を示す為にプリントサイズの略称などを附加する。
（３）プリントサイズに対応するフォルダーを作成してそこにファイルを記録する。
【００５０】
次に、図２のフローチャートおよび図３から図１４の画面図を用いて、モニター６３に画像を表示して、当該表示した画像に対してユーザーがトリミングする場合における撮像装置が有する画像処理装置の動作について説明する。なお、この図３から図１４の画面図は、撮像装置のモニター６３に表示される画像である。
【００５１】
＜トリミングのモードに入る場合の動作＞
まず、ユーザーがモードスイッチＳＷ４（図１参照）を押すと、撮像装置は撮影モードから再生モードとなり、ユーザーがモードスイッチＳＷ４をもう一度押すと、撮像装置は総合メニューモードを表示する（図３参照）。
【００５２】
この図３の総合メニューモードにおいて、ユーザーが上下選択スイッチＳＷ８・９で「画像編集」を選択し確定スイッチＳＷ１０を押すと、撮像装置は図４に示す画像編集メニューに表示画面を移行させる（図２のステップＳ１０１、図４参照）。次に、この図４の画像編集メニューにおいて、ユーザーが上下選択スイッチＳＷ８・９で「トリミング」を選択し確定スイッチＳＷ１０を押すと（図２のステップＳ１０２）、撮像装置はトリミングする対象の画像をユーザーに選択させる画面に移行させる（図５参照）。
【００５３】
＜トリミングする画像を選択する場合の動作＞
次に、ユーザーが上下選択スイッチＳＷ８・９と左右選択スイッチＳＷ６・７とでトリミングする画像を選択して確定スイッチＳＷ１０を押すと（ステップＳ１０３）、撮像装置は選択した画像を全画面表示すると共に、それに重ねてトリミング方法を指定するダイアログを表示する（図６参照）。
【００５４】
＜トリミングに関する設定をする場合の動作＞
図６の画面図において、ユーザーが上下選択スイッチＳＷ８・９で「複合トリミング」を選択して確定スイッチＳＷ１０を押すと（ステップＳ１０５で「複合トリミング」の場合）、撮像装置は複合トリミングでのモードを選択する画面に移行させる（図７および図２のステップＳ１０７参照）。各モードは以下のとおりであり、ユーザーは希望に従いこのモードの中からいずれかのモードを選択する。
【００５５】
モード１は、２つのプリントサイズに対応する縦横比のトリミング枠をそれぞれ表示するが、第一トリミング枠と第二トリミング枠の何れか一方を実トリミング枠とし、他方のトリミング枠はプリント時の状況を確認するためだけの参照枠として扱い、実トリミング枠により一つのトリミング画像を生成して記録するトリミングのモードである。このモード１は、例えば、トリミングは六切プリントの縦横比に合わせて行なうが、このトリミング画像でハガキサイズのプリントをしても適切な結果になるようにしたい場合に用いられる。
【００５６】
モード２は、第一トリミング枠と第二トリミング枠の両方を包含する第三トリミング枠を自動的に設定・表示し、この第三トリミング枠を実トリミング枠とし、第一および第二トリミング枠はそれぞれのプリントでの状況を確認するだけの参照枠として扱い、実トリミング枠により一つのトリミング画像を生成して保存するトリミングのモードである。このモード２は、例えば、六切プリントでもハガキサイズプリントでも同様に適切な結果になるようにトリミングしたい場合に用いられる。
【００５７】
モード３は、第一トリミング枠と第二トリミング枠の両方を実トリミング枠とし、それぞれの実トリミング枠を独立に拡大、縮小、移動または回転することができ、両者から一つずつ合計２つのトリミング画像を生成して記録するトリミングのモードである。このモード３は、例えば、トリミングは、六切プリントもハガキサイズプリントもどちらもベストの結果となるようにしたい場合に用いられる。
【００５８】
＜モード１でトリミングする場合の動作＞
次に、図２のステップＳ１０７すなわち図７の画面図で、ユーザーが上下選択スイッチＳＷ８・９で「モード１」を選択し確定スイッチＳＷ１０を押すと、撮像装置は２つのトリミング枠をどのプリントサイズの縦横比にするかを指定する画面に移行させる（図８）。次に、ユーザーは左右選択スイッチＳＷ６・７で第１トリミング枠または第２トリミング枠のいずれかを選択し、上下選択スイッチＳＷ８・９でプリントサイズを選択する。ここでは例として、第１トリミング枠として六切を選択し、第２トリミング枠としてハガキサイズを選択したものとする。
【００５９】
次に、ユーザーが確定スイッチＳＷ１０で確定すると（図２のステップＳ１２１）、撮像装置はダイアログを消し、選択した両方のトリミング枠を画像に重ねて中央に表示する（図９）。たとえば、撮像装置は図９に示すように、六切に対応する実トリミング枠は実線で表示し、ハガキサイズに対応する参照トリミング枠は破線で表示する。このようにして撮像装置はそれぞれのトリミング枠を区別できるようにして表示する。
【００６０】
＜トリミング枠の拡大、縮小、移動または回転＞
この図９の画面図の状態において、実トリミング枠を操作するには、ユーザーは左右選択スイッチＳＷ６・７と上下選択スイッチＳＷ８・９を操作することで実トリミング枠の左右と上下の移動を行い、また、操作用スイッチＳＷ１１を押しながらコマンドダイヤル左回転スイッチＳＷ１３およびコマンドダイヤル右回転スイッチＳＷ１４を操作することで実トリミング枠の拡大および縮小を行なう（図２のステップＳ１２５および図１０参照）。また、ユーザーは図示しない回転操作用スイッチを押しながらコマンドダイヤル左回転スイッチＳＷ１３およびコマンドダイヤル右回転スイッチＳＷ１４を操作することで、実トリミング枠の回転を行なう。
【００６１】
このモード１では、実トリミング枠を拡大、縮小、移動または回転すると、参照トリミング枠は自動的に実トリミング枠に連動して変更され、常に実トリミング枠と中心が一致し内接した状態が保持される（図１０参照）。たとえばモード１においては、全体トリミング枠変更部１５が、左右選択スイッチＳＷ６・７と上下選択スイッチＳＷ８・９からの操作信号、操作用スイッチＳＷ１１を押しながらのコマンドダイヤル左回転スイッチＳＷ１３およびコマンドダイヤル右回転スイッチＳＷ１４からの操作信号に応じて、実トリミング枠と参照用のトリミング枠とのうち全てのトリミング枠を、移動、回転、拡大または縮小する。
【００６２】
このモード１の場合、トリミング画像は最終的には六切の縦横比に対応する実トリミング枠で決定されるものの、ユーザーはハガキサイズでプリントした場合の結果も参照トリミング枠で確認しながらトリミングを決定することができる。そのため、六切の縦横比に対応する実トリミング枠でトリミングしておき、後にこのトリミングした画像を参照用のトリミング枠に対応するハガキサイズでプリントしたとしても、トリミングする段階においてユーザーが画面上で確認したようにプリントされる。よって、実トリミング枠と参照用のトリミング枠とのいずれに対応するプリントサイズで印刷した場合においても、たとえば予想しない箇所で被写体が切れることなどがなく適切にプリントすることができる。
【００６３】
なお、このステップＳ１２５を行っている期間において、ユーザーはプレビュースイッチＳＷ１６を押すことにより、実トリミング枠でトリミングされる場合の画像をプレビューして確認することができる。また、ユーザーはプレビュースイッチＳＷ１６を押した状態でコマンドダイヤル左回転スイッチＳＷ１３またはコマンドダイヤル右回転スイッチＳＷ１４を押すことにより、実トリミング枠でトリミングされる場合の画像と参照トリミング枠でトリミングされる場合の画像とを順にプレビューして確認することができる。これらの処理は、プレビュー部１７が行う。
【００６４】
これにより、ユーザーはトリミング枠に対応するそれぞれのプリントサイズでプリントされる場合の画像を確認することができる。また、このプレビューにおいては、撮像装置のプレビュー部１７はトリミングする画像を画面全体に拡大して表示する。これにより、ユーザーはトリミングされる画像を拡大して見ることができるために、トリミングする画像をより確認しやすくなる。
【００６５】
＜トリミングの実行＞
次に、ユーザーがトリミング範囲を決定して確定スイッチＳＷ１０を押すと（ステップＳ１２７でＹＥＳ）、撮像装置のトリミング部１２が実トリミング枠でトリミングを実行し、この範囲を切り取ったトリミング画像が生成される。次に、撮像装置の画像保存部１６がトリミング部１２の生成したトリミング画像をメモリーカード７２に記録する（ステップＳ１２９）。
【００６６】
その後、撮像装置は他の画像でもトリミングするか否かを入力する画面を表示する（ステップＳ２００）。ユーザーが他の画像でもトリミングすることを選択した場合には、撮像装置はステップＳ１０３からの処理を繰り返す。一方、ユーザーが他の画像でもトリミングすることを選択しなかった場合には、撮像装置は処理を終了し、たとえば、ステップＳ１０１またはステップＳ１０２に処理を戻す。
【００６７】
＜モード２でトリミングする場合の動作＞
一方、図２のステップＳ１０７すなわち図７の画面図で、ユーザーがモード２を選択した場合は、モード１の場合と同様に、ユーザーが図８でそれぞれのトリミング枠を対応させるプリントサイズを選択し（ステップＳ１４１）、確定スイッチＳＷ１０を押すと、撮像装置の合成トリミング枠生成部１３は、両トリミング枠の中心を一致させて配置した状態（図１１ａ参照）に対して外接する長方形の枠、すなわち、第３トリミング枠を演算により求める（ステップＳ１４３）。次に、撮像装置は第３トリミング枠を実トリミング枠として（図１１ｂ参照）、これら３つのトリミング枠を画像に重ねて表示する（図１２、図２のステップＳ１４５）。
【００６８】
＜トリミング枠の拡大、縮小、移動または回転＞
図１２の状態において、上記に説明したモード１の場合と同様に、ユーザーは上下選択スイッチＳＷ８・９、左右選択スイッチＳＷ６・７、または、操作用スイッチＳＷ１１を押しながらコマンドダイヤル左回転スイッチＳＷ１３もしくはコマンドダイヤル右回転スイッチＳＷ１４を操作して、第１トリミング枠および第２トリミング枠でそれぞれのプリント時の結果を確認しながら、実トリミング枠の位置と大きさを決定する（ステップＳ１４７）。なお、実トリミング枠の拡大、縮小、移動または回転を行なうと、第１および第２トリミング枠も図１２に示す実トリミング枠との関係を保ったまま連動して拡大、縮小、移動または回転がなされる。
【００６９】
たとえばモード２においては、全体トリミング枠変更部１５が、左右選択スイッチＳＷ６・７と上下選択スイッチＳＷ８・９からの操作信号、操作用スイッチＳＷ１１を押しながらのコマンドダイヤル左回転スイッチＳＷ１３およびコマンドダイヤル右回転スイッチＳＷ１４からの操作信号に応じて、第１トリミング枠と第２トリミング枠と第３トリミング枠とのうち全てのトリミング枠を、移動、回転、拡大または縮小する。
【００７０】
このステップＳ１４７を行っている期間においてユーザーがプレビュースイッチＳＷ１６を押すことにより、モード１のステップＳ１２７の場合と同様に、ユーザーはトリミングされる場合の画像をプレビューして確認することができる。
【００７１】
＜トリミングの実行＞
次に、ユーザーがトリミング範囲を決定して確定スイッチＳＷ１０を押すと（ステップＳ１４９でＹＥＳ）、撮像装置のトリミング部１２が実トリミング枠でトリミングを実行し、この範囲を切り取ったトリミング画像が生成される。次に、撮像装置の画像保存部１６がトリミング部１２の生成したトリミング画像をメモリーカード７２に記録する（ステップＳ１５１）。その後の撮像装置の動作は、モード１の場合のステップＳ２００からの動作と同様であるため、その説明を省略する。
【００７２】
＜モード３でトリミングする場合の動作＞
一方、図２のステップＳ１０７すなわち図７の画面図で、ユーザーがモード３を選択した場合は、モード１の場合と同様に、ユーザーが図８でそれぞれのトリミング枠を対応させるプリントサイズを選択し（ステップＳ１６１）、確定スイッチＳＷ１０を押すと、撮像装置は両トリミング枠を画面中央に表示する（図１３、図２のステップＳ１６３参照）。
【００７３】
＜トリミング枠の拡大、縮小、移動または回転＞
このモード３では２つのトリミング枠は独立で拡大、縮小、移動または回転することができる。ユーザーは、操作用スイッチＳＷ１２を押しながらコマンドダイヤル左回転スイッチＳＷ１３またはコマンドダイヤル右回転スイッチＳＷ１４を押す（いずれかを１クリック分だけ回転させる）と、操作のために選択するトリミング枠を切替ることができる。選択した方のトリミング枠は色や線種を変えるなどして、選択されていない方との識別を容易にすることが望ましい。
【００７４】
そしてモード１またはモード２の場合と同様に、ユーザーは、左右選択スイッチＳＷ６・７、上下選択スイッチＳＷ８・９、または、操作用スイッチＳＷ１１を押しながらコマンドダイヤル左回転スイッチＳＷ１３もしくはコマンドダイヤル右回転スイッチＳＷ１４を操作することにより、それぞれのトリミング枠を拡大、縮小、移動または回転して設定する（図１４、図２・ステップＳ１６５）。
【００７５】
たとえばモード３においては、撮像装置の個別トリミング枠変更部１４が、左右選択スイッチＳＷ６・７と上下選択スイッチＳＷ８・９からの操作信号、操作用スイッチＳＷ１１を押しながらのコマンドダイヤル左回転スイッチＳＷ１３およびコマンドダイヤル右回転スイッチＳＷ１４からの操作信号に応じて、選択されたトリミング枠を移動、回転、拡大または縮小する。
【００７６】
＜トリミングの実行＞
次に、ユーザーがそれぞれのトリミング範囲を決定し確定スイッチＳＷ１０を押すと（ステップＳ１６７でＹＥＳ）、撮像装置のトリミング部１２がそれぞれのトリミング枠でトリミングを実行し、２つのトリミング画像が生成される。次に、撮像装置の画像保存部１６がトリミング部１２の生成した２つのトリミング画像を、メモリーカード７２に記録する（ステップＳ１６９）。その後の撮像装置の動作は、モード１の場合のステップＳ２００からの動作と同様であるため、その説明を省略する。
【００７７】
＜単一トリミングの場合＞
一方、ステップＳ１０５すなわち図６の画面図において、ユーザーが上下選択スイッチＳＷ８・９で「単一トリミング」を選択して確定スイッチＳＷ１０を押した場合には（ステップＳ１０５で「単一トリミング」の場合）、ユーザーはトリミング枠を選択し（ステップＳ１１１）、トリミング枠の位置や大きさを変更する操作をする（ステップＳ１１３）。その後、ユーザーがトリミング範囲を決定して確定スイッチＳＷ１０を押すと（ステップＳ１１５でＹＥＳ）、撮像装置はトリミング枠でトリミングを実行し、このトリミングした画像をメモリーカード７２に記録する（ステップＳ１１７）。その後の撮像装置の動作は、モード１の場合のステップＳ２００からの動作と同様であるため、その説明を省略する。
【００７８】
＜トリミング画像の記録におけるファイル名＞
次に、画像保存部１６による一例としてのトリミング画像の記録におけるファイル名について説明する。
（１)トリミング画像のファイルをメモリーカードに記録する場合、どのプリントサイズの縦横比でトリミングしたかがファイル名で分かるようにすると便利である。例えば、元画像のファイル名が「DSC_0001.jpg」のときに、ハガキサイズでトリミングした画像に対しては、「DSC_0001-H.jpg」などとすることができる。また、実施形態のモード１の場合には、六切とハガキサイズを指定しているので、「DSC_0001-MH.jpg」とすることができる。この場合、ファイル名の最後に追加している記号「H」がハガキサイズでトリミングしたことを示す情報であり、記号「M」が六切でトリミングしたことを示す情報である。ここではファイル名の最後にトリミングのサイズを示す情報を追加しているが、ファイル名の先頭にトリミングのサイズを示す情報を追加してもよい。
【００７９】
一般にファイル名はアルファベットおよび数字などの文字順に並び替えられて表示される。そのためファイル名の最後にトリミングのサイズを示す情報を追加している場合には、同一の元画像のファイル名に対してトリミングされた画像が連続して並べられることになる。よって、元画像とともにこの元画像に対してトリミングされた画像を管理する場合に好適である。また、撮像装置がメモリーカード７２に記憶されている画像をファイル名の順に表示すると、ユーザーはたとえば元画像、トリミングされた第１の画像、トリミングされた第２の画像の順に見ることができ、元画像と対比してトリミングした画像を確認することができる。
【００８０】
逆にファイル名の先頭にトリミングのサイズを示す情報を追加する場合には、同じトリミングのサイズの画像が連続して並べられることになる。ここで、たとえばプリンターなどで印刷する場合には、先に印刷サイズを決めてから印刷する場合がある。このように印刷サイズを先に決めてから印刷する場合には、同じトリミングのサイズの画像が連続して並べられている方が好適である。
【００８１】
（２）更に、トリミング画像の記録時にプリントサイズごとにフォルダーを自動生成し自動的に割振って記録しても良い。
市中のプリントサービスでは、ユーザーが自分のメモリーカードを装置に挿入して自分でプリント注文操作をするものも多く、一般的には一番最初にプリントサイズを指定し、次に対象画像を選択してそれぞれを何枚プリントするかを指定していくプロセスになっている。そして、対象画像を選択する画面では、メモリーカード内のフォルダー順に画像が表示される。従って、メモリーカード内でプリントサイズごとにトリミング画像がフォルダー単位で分かれていれば、それらが連続して表示され、１つのプリントサイズに対して効率的に注文設定をすることができる。
例えばモード３の場合は、六切とハガキサイズの両方のフォルダーを作成し、それぞれのファイルを記録すればよい。このようにした例を図１５に示す。
【００８２】
以上説明した本実施形態による画像処理装置によれば、次のような効果を奏する。
（１）１つの画像を複数のプリントサイズ（異なる縦横比）でプリントするためにトリミングする場合に、トリミング操作をその両プリントサイズ（縦横比）を考慮して進めることができ、プリントサイズごとにトリミング操作を繰返すことなく、簡単な操作で確実に、複数のプリントサイズで良好なトリミング結果を得ることができる。
【００８３】
（２）モード１では、最終的なトリミングは実トリミング枠として選択した１つのプリントサイズの縦横比に応じて決定するが、同時にもう一方のプリントサイズのプリント範囲も参照用として示されているため、後者のプリントサイズでプリントした場合に、不所望に画面がカットされることがない。
またモード１においては、実トリミング枠でトリミングされた画像のみをトリミングされた画像として記憶するため、第３のモードに対比してトリミングした画像を記憶する記憶領域を減じて、複数のプリントサイズに対応したトリミングを行うことができる。
【００８４】
（３）モード２では、２つのプリントサイズの縦横比を同等に考慮して中間的な縦横比の第３トリミング枠によりトリミングを行ない、このとき２つのプリントサイズの縦横比の枠も表示されているので、これらを見ながら、第３トリミング枠で妥当なトリミング範囲を決定することができる。
またモード２においては、複数のプリントに対応した第３トリミング枠でトリミングされた画像のみをトリミングされた画像として記憶するため、第３のモードに対比してトリミングした画像を記憶する記憶領域を減じて、複数のプリントサイズに対応したトリミングを行うことができる。
【００８５】
（４）モード３では、２つのプリントサイズの縦横比の枠を同時に表示し、それぞれを独立に操作して拡大、縮小、移動または回転することができるので、それぞれのプリントサイズに最適なトリミングを併行して行なうことができる。
【００８６】
（５）トリミング画像をメモリーカードに記録する際に、プリントサイズに応じた文字などを名前に添付することで、どのプリントサイズに合わせてトリミングした画像かが簡単に知ることができる。
【００８７】
（６）トリミング画像をメモリーカードに記録する際に、プリントサイズに応じたフォルダーが自動生成され、そこにトリミング画像が記録されるので、市中のプリンター注文装置でプリント注文を行なう場合に操作上の都合がよい。
【００８８】
以上、この発明の実施形態を図面を参照して詳述してきたが、具体的な構成はこの実施形態に限られるものではなく、この発明の要旨を逸脱しない範囲の設計等も含まれる。たとえば、次のようにしてもよい。
【００８９】
（１）上述した実施形態では２つのプリントサイズに対応する縦横比でのトリミングを可能としたが、２つに限らずそれ以上の複数の縦横比でのトリミングを同時に行なうことも可能である。
【００９０】
（２）上述した実施形態では本発明の画像処理装置をカメラなどの撮像装置に搭載した例を示したが、この他に、ＰＣ（パーソナルコンピュータ）で使用する画像編集アプリケーションソフトやプリンターに搭載することも可能で、その場合には操作インターフェースはそれぞれに適した形態で行なえばよい。
【００９１】
（３）上述した実施形態では複数の縦横比のトリミング枠の同時表示の際に、線種によりそれぞれを区別できるようにしたが、この他に表示色を変えるなど他の方法をとっても良い。
【００９２】
（４）上述した実施形態ではトリミングを行ない、元画像をそのトリミング枠に従って周囲をカットして新しい画像を形成したが、これ以外に、トリミング情報をメタデータとして元画像データに附加するだけで、実際には新たなトリミング画像は生成しない方法もある。たとえば、特開２００５−１９８３１８には、トリミング情報をメタデータとして画像に附加することが開示されている。撮像装置の画像保存部１６にこのような技術を用いてもよい。
【００９３】
（５）上述した実施形態のモード２では、２つのプリントサイズ縦横比に対応するトリミング枠を中心を一致させて重ね、それらに外接する実トリミング枠を生成したが、この実トリミング枠の決め方には他のやり方もあり得る。場合によっては、両トリミング枠に内接するようにしてもよい。
【００９４】
（６）プリントサイズによっては、縦横比がほぼ等しい組合せもある（Ｌサイズと２Ｌサイズなど）。この場合には、複合トリミングを選択していても、画面上の表示ではあえてそれぞれの枠を表示せず１つにまとめてしまってもよい。
【００９５】
（７）メモリー７５が、合成枠情報記憶部を有するようにしてもよい。この合成枠情報記憶部には、第１トリミング枠を示す情報と第２トリミング枠を示す情報とに関連付けて、合成トリミング枠のアスペクト比が予め記憶されている。そして、合成トリミング枠生成部１３は、第１トリミング枠と第２トリミング枠とに対応する合成トリミング枠を生成する場合に、第１トリミング枠と第２トリミング枠とに関連付けられている合成トリミング枠のアスペクト比を合成枠情報記憶部から読み出すことにより合成トリミング枠を生成してもよい。ここでは、２つのトリミング枠に対して合成トリミング枠を生成する場合について説明しているが、複数のトリミング枠に対して合成トリミング枠を生成する場合も同様である。
【００９６】
上記（２）で説明したように図１から図１５を用いた実施形態の説明においては、画像処理装置を撮像装置が有する場合について説明したがこれに限られるものではなく、画像処理装置としての機能をコンピュータ上で実現するようにしてもよい。すなわち、図１における画像処理装置が有するトリミング枠表示部１１、トリミング部１２、合成トリミング枠生成部１３、個別トリミング枠変更部１４、全体トリミング枠変更部１５、画像保存部１６およびプレビュー部１７という各構成は、専用のハードウェアにより実現されるものであってもよく、また、この各構成はメモリーおよびＣＰＵ（中央演算装置）により構成され、この各構成の機能を実現するためのプログラムをメモリーにロードして実行することによりその機能を実現させるものであってもよい。
【００９７】
また、図１における画像処理装置が有する各構成の機能を実現するためのプログラムをコンピュータ読み取り可能な記録媒体に記録して、この記録媒体に記録されたプログラムをコンピュータシステムに読み込ませ、実行することにより画像処理装置としての機能を実現してもよい。なお、ここでいう「コンピュータシステム」とは、ＯＳや周辺機器等のハードウェアを含むものとする。
【００９８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００９９】
１１…トリミング枠表示部、１２…トリミング部、１３…合成トリミング枠生成部、１４…個別トリミング枠変更部、１５…全体トリミング枠変更部、１６…画像保存部、１７…プレビュー部
【図１】
2010232869.tif 000003
【図２】
2010232869.tif 000004
【図３】
2010232869.tif 000005
【図４】
2010232869.tif 000006
【図５】
2010232869.tif 000007
【図６】
2010232869.tif 000008
【図７】
2010232869.tif 000009
【図８】
2010232869.tif 000010
【図９】
2010232869.tif 000011
【図１０】
2010232869.tif 000012
【図１１】
2010232869.tif 000013
【図１２】
2010232869.tif 000014
【図１３】
2010232869.tif 000015
【図１４】
2010232869.tif 000016
【図１５】
2010232869.tif 000017
【図１６】
2010232869.tif 000018
【図１７】
2010232869.tif 000019
【図１８】
2010232869.tif 000020